(57)【要約】【課題】本発明は、水素などの共存ガスが存在する排便ガスから、硫化水素を精度よく測定することができる健康状態測定装置を提供することを目的とする。【解決手段】上記課題を解決するため請求項１記載の本発明による健康状態測定装置は、排便時に併発するガスのガス濃度を測定する複数のガスセンサを備える健康状態測定装置であって、前記ガスセンサはそれぞれ前記ガスのうち硫化水素に対する第１応答特性と、前記ガスのうち硫化水素以外の共存ガスに対する第２応答特性を有し、それぞれの前記ガスセンサで前記第１応答特性どうしと前記第２応答特性どうしの少なくとも一方が異なり、それぞれの前記ガスセンサの前記第１応答特性を用いて排便時に併発する硫化水素の濃度を演算する演算部を備えることを特徴とする。【選択図】  図２
2009250922.tif 000002
【特許請求の範囲】
【請求項１】
排便時に併発するガスのガス濃度を測定する複数のガスセンサを備える健康状態測定装置であって、
前記ガスセンサはそれぞれ前記ガスのうち硫化水素に対する第１応答特性と、前記ガスのうち硫化水素以外の共存ガスに対する第２応答特性を有し、
それぞれの前記ガスセンサで前記第１応答特性どうしと前記第２応答特性どうしの少なくとも一方が異なり、
それぞれの前記ガスセンサの前記第１応答特性を用いて排便時に併発する硫化水素の濃度を演算する演算部を備えることを特徴とする 
健康状態測定装置。
【請求項２】
排便時に併発するガスのガス濃度を測定する複数のガスセンサを備える健康状態測定装置であって、
前記複数のガスセンサの間に硫化水素除去部を備え、
前記硫化水素除去部の上流側に位置する第１ガスセンサは、
前記ガスのうち硫化水素に対する第１応答特性と、前記ガスのうち硫化水素以外の共存ガスに対する第２応答特性を有し、
前記硫化水素除去部の下流側に位置する第２ガスセンサは、
前記ガスのうち硫化水素以外の共存ガスに対する第２応答特性を有し、
それぞれの前記ガスセンサで前記第２応答特性どうしが異なり、
前記第１ガスセンサの前記第１応答特性、前記第１ガスセンサの前記第２応答特性および前記第２ガスセンサの前記第２応答特性を用いて排便時に併発する硫化水素の濃度を演算する演算部を備えることを特徴とする
健康状態測定装置。
【請求項３】
排便時に併発するガスのガス濃度を測定する複数のガスセンサを備える健康状態測定装置であって、
前記複数のガスセンサの間に硫化水素除去部を備え、
前記硫化水素除去部の上流側に位置する第１ガスセンサは、
前記ガスのうち硫化水素に対する第１応答特性と、前記ガスのうち硫化水素以外の共存ガスに対する第２応答特性を有し、
前記硫化水素除去部の下流側に位置する第２ガスセンサは、
前記ガスのうち硫化水素以外の共存ガスに対する第２応答特性を有し、
それぞれの前記ガスセンサで前記第２応答特性どうしが同一であり、
前記第１ガスセンサの前記第１応答特性を用いて排便時に併発する硫化水素の濃度を演算する演算部を備えることを特徴とする
健康状態測定装置。
【発明の詳細な説明】
【技術分野】
【０００１】
本発明は、硫化水素を精度よく測定することができる健康状態測定装置に関する。
【背景技術】
【０００２】
排便時に併発するガス（以下排泄ガスと呼ぶ）を検出し、その検出結果に基づいて、人間の健康状態を判断する技術が知られている。例えば、特許文献１には、ガスセンサを用いて放屁に含まれる有臭ガスを検出し、そのガスセンサからの信号値を直接或いは匂い分析などの適当な処理を行って表示することが開示されている。また、例えば、特許文献２には、脱臭体に吸着された臭気成分を酸化させてその酸化電流から臭気成分濃度を測定する技術が開示されている。 
【０００３】
特許文献３は、腸内状態報知装置およびその方法に関する本出願人の発明である。この装置では、排泄ガス中の水素ガスをガスセンサで測定し、ガスセンサから出力された信号値に対応した腸内状態情報を腸内健康度判定用付属情報から抽出してユーザに報知するものである。腸内状態情報としては、腸内に存在する種々の菌の総数、ビフィズス菌の数、悪玉菌の数、腸内菌の総数のうちのビフィズス菌数の割合、又は、腸内菌の総数のうちの悪玉菌数の割合等を採用している。
【０００４】
また、本出願人の発明である特許文献４では、排泄ガスの測定結果を腸内状態指標、例えば腸内細菌バランスに換算して使用者に報知する技術が開示されている。
【０００５】
【特許文献１】特開平９−４３１８２号公報。
【特許文献２】特開平８−２１１０４８号公報。
【特許文献３】特開２００５−３１５８３６号公報。
【特許文献４】特開２００７−８９８５７号公報。
【発明の開示】
【発明が解決しようとする課題】
【０００６】
ところで、腸内状態を正確に推定するにはターゲットとするガス成分を精度良く測定することが重要である。特に有臭ガス、例えば硫化水素を測定して腸内状態を推定する場合、数ｐｐｍレベルの濃度を正確に測定することが求められる。硫化水素センサの例として定電位電解型センサと半導体型センサが挙げられ、中でも半導体型センサは長寿命で安価との利点がある。
しかし、これらの硫化水素センサはターゲット成分に対する特異性が低い難点がある。例えば硫化水素センサが水素に対しても一定の応答を示すが、排便ガスの中には水素ガスの濃度レベルが硫化水素の数十倍、場合には数千倍に達するので、そのまま使用しても硫化水素の濃度を推測することができないという問題がある。
【０００７】
本発明は、水素など共存ガスが存在する排便ガス中の硫化水素を精度よく測定することができる健康状態測定装置を提供することを目的とする。
【課題を解決するための手段】
【０００８】
上記課題を解決するため請求項１記載の本発明による健康状態測定装置は、排便時に併発するガスのガス濃度を測定する複数のガスセンサを備える健康状態測定装置であって、前記ガスセンサはそれぞれ前記ガスのうち硫化水素に対する第１応答特性と、前記ガスのうち硫化水素以外の共存ガスに対する第２応答特性を有し、それぞれの前記ガスセンサで前記第１応答特性どうしと前記第２応答特性どうしの少なくとも一方が異なり、それぞれの前記ガスセンサの前記第１応答特性を用いて排便時に併発する硫化水素の濃度を演算する演算部を備えることを特徴とする。
上記課題を解決するため請求項２記載の本発明による健康状態測定装置は、排便時に併発するガスのガス濃度を測定する複数のガスセンサを備える健康状態測定装置であって、前記複数のガスセンサの間に硫化水素除去部を備え、前記硫化水素除去部の上流側に位置する第１ガスセンサは、前記ガスのうち硫化水素に対する第１応答特性と、前記ガスのうち硫化水素以外の共存ガスに対する第２応答特性を有し、前記硫化水素除去部の下流側に位置する第２ガスセンサは、前記ガスのうち硫化水素以外の共存ガスに対する第２応答特性を有し、それぞれの前記ガスセンサで前記第２応答特性どうしが異なり、前記第１ガスセンサの前記第１応答特性、第１ガスセンサの前記第２応答特性および前記第２ガスセンサの前記第２応答特性を用いて排便時に併発する硫化水素の濃度を演算する演算部を備えることを特徴とする。
また、上記課題を解決するため請求項３記載の本発明による健康状態測定装置は、排便時に併発するガスのガス濃度を測定する複数のガスセンサを備える健康状態測定装置であって、前記複数のガスセンサの間に硫化水素除去部を備え、前記硫化水素除去部の上流側に位置する第１ガスセンサは、前記ガスのうち硫化水素に対する第１応答特性と、前記ガスのうち硫化水素以外の共存ガスに対する第２応答特性を有し、前記硫化水素除去部の下流側に位置する第２ガスセンサは、前記ガスのうち硫化水素以外の共存ガスに対する第２応答特性を有し、それぞれの前記ガスセンサで前記第２応答特性どうしが同一であり、前記第１ガスセンサの前記第１応答特性を用いて排便時に併発する硫化水素の濃度を演算する演算部を備えることを特徴とする。
【発明の効果】
【０００９】
排便ガス中の硫化水素以外の共存ガスによる影響を除去し、硫化水素を精度よく測定することができる。
【発明を実施するための最良の形態】
【００１０】
本発明を実施するための最良の形態を説明するのに先立って、本発明の作用効果について説明する。
【００１１】
本発明による第一の健康状態測定装置は、排便時に併発するガスのガス濃度を測定する複数のガスセンサを備える健康状態測定装置であって、前記ガスセンサはそれぞれ前記ガスのうち硫化水素に対する第１応答特性と、前記ガスのうち硫化水素以外の共存ガスに対する第２応答特性を有し、それぞれの前記ガスセンサで前記第１応答特性どうしと前記第２応答特性どうしの少なくとも一方が異なり、それぞれの前記ガスセンサの前記第１応答特性を用いて排便時に併発する硫化水素の濃度を演算する演算部を備えることを特徴とする。
本発明によれば、硫化水素に対する第１応答特性と硫化水素以外のガスに対する第２応答特性を有する性能の異なる二つのセンサの出力から、排泄ガス中の硫化水素の濃度を精度良く測定して健康状態を推定する健康状態測定装置を提供することができる。
本発明による第２の健康状態測定装置は、排便時に併発するガスのガス濃度を測定する複数のガスセンサを備える健康状態測定装置であって、前記複数のガスセンサの間に硫化水素除去部を備え、前記硫化水素除去部の上流側に位置する第１ガスセンサは、前記ガスのうち硫化水素に対する第１応答特性と、前記ガスのうち硫化水素以外の共存ガスに対する第２応答特性を有し、前記硫化水素除去部の下流側に位置する第２ガスセンサは、前記ガスのうち硫化水素以外の共存ガスに対する第２応答特性を有し、それぞれの前記ガスセンサで前記第２応答特性どうしが異なり、前記第１ガスセンサの前記第１応答特性、第１ガスセンサの前記第２応答特性および前記第２ガスセンサの前記第２応答特性を用いて排便時に併発する硫化水素の濃度を演算する演算部を備えることを特徴とする。
本発明によれば、２つのガスセンサの間に硫化水素除去部を備えるので、排泄ガス中の硫化水素の濃度を精度良く測定して健康状態を推定する健康状態測定装置を提供することができる。
本発明による第３の健康状態測定装置は、排便時に併発するガスのガス濃度を測定する複数のガスセンサを備える健康状態測定装置であって、前記複数のガスセンサの間に硫化水素除去部を備え、前記硫化水素除去部の上流側に位置する第１ガスセンサは、前記ガスのうち硫化水素に対する第１応答特性と、前記ガスのうち硫化水素以外の共存ガスに対する第２応答特性を有し、前記硫化水素除去部の下流側に位置する第２ガスセンサは、前記ガスのうち硫化水素以外の共存ガスに対する第２応答特性を有し、それぞれの前記ガスセンサで前記第２応答特性どうしが同一であり、前記第１ガスセンサの前記第１応答特性を用いて排便時に併発する硫化水素の濃度を演算する演算部を備えることを特徴とする。
本発明によれば、硫化水素以外の成分に対して同一の応答特性を備えるガスセンサを使用することにより、硫化水素に対する応答特性のみ利用して硫化水素濃度を演算するので、演算部を簡略化することができる。
【００１２】
以下に添付図面に基づいて本発明の実施形態を具体的に説明する。まず第一の実施例を図１から図２に基いて説明する。
【００１３】
図１は、本発明の健康状態測定装置を搭載した人体洗浄装置組込タイプ洋式便器の一例を示す（部分透視）外観図である。
【００１４】
便器１の便座２と便鉢３周縁の頂部との間に設けたスペースを利用して脱臭ファン用排気通路４が設置されている。脱臭ファン用排気通路４内には、脱臭ファン５、およびふたつのガスセンサからなるガスセンサ７が取り付けられている。
【００１５】
また、制御部８および演算部９は一体化して便座２の後部内に組み込まれ、さらに、制御部８により算出された結果である腸内状態指標データの表示部１０が、人体洗浄装置の操作パネル１１に組み込まれている。ガスセンサ７と演算部９とのデータ交換は結線により、また制御部８と表示部１０とのデータ交換は赤外線により行っている。なお、演算部９はガス濃度を演算する演算機能の外に、データ記憶部およびガスセンサ７を制御するガスセンサ制御部を備えている。また、制御部８は得られた硫化水素濃度を含めた測定結果から腸内状態指標に変換する機能を担う。
【００１６】
図２は本発明の健康状態測定装置の第１実施例を示す概念図である。脱臭ファン用排気通路４内に、風上側から順に脱臭ファン５、ガスセンサ２１、ガスセンサ２２が配置されている。
【００１７】
演算部９が測定開始信号を同時にガスセンサ２１とガスセンサ２２に送信し両ガスセンサが作動し始めると、センサに接するガスのガス濃度に応じた出力信号が得られる。ガスセンサ２１とガスセンサ２２で得られたセンサ出力信号が演算部９に送られ、時系列的に記憶される。また、演算部９の測定終了信号によって両ガスセンサの作動が終了し、センサ出力の信号の記録が終了する。続いて、演算部９では後述の方法にしたがって記憶されたセンサの出力信号からガス濃度を求め、その結果を制御部８に送信し、そこで腸内状態指標を推算し、得られた腸内状態指標が表示部１０で表示される。
次に本実施例の演算部９による硫化水素濃度の算出について詳細に説明する。
ガスセンサ２１とガスセンサ２２はそれぞれ硫化水素に対する第１応答特性および共存ガス（本実施例では水素）に対する第２応答特性を有する。図３はガス濃度とセンサの出力信号との関係から両センサの応答特性に示す概念図である。センサの出力信号はガス濃度と直線的な関係になるように加工されている。図示のように、ガスセンサ２１は傾きがα１となる硫化水素に対する第１応答特性、および傾きがβ１となる共存ガスの水素に対する第２応答特性を示す。一方、ガスセンサ２２も傾きがα２となる硫化水素に対する第１応答特性、および傾きがβ２となる共存ガスの水素に対する第２応答特性を示す。ガスセンサ２１とガスセンサ２２の出力をそれぞれV1とV2とし、硫化水素濃度および水素濃度をそれぞれ[H2S] と[H2]とすると、出力とガス濃度との間に以下の関係が成り立つ。
V1＝α１[H2S]＋β１[H2]              式１
V2＝α２[H2S]＋β２[H2]              式２
式１と式２から、硫化水素濃度[H2S]が以下の式により求まる：
[H2S]＝(V1β２−V2β１)/(α１β２−α2β１)     式３
式３から、ガスセンサ２１とガスセンサ２２の第１応答特性と第２応答特性を用いて、センサの出力から硫化水素の濃度を算出することができる。
以下硫化水素濃度を演算する演算部９の動作に基いて本実施例における硫化水素濃度の測定をさらに説明する。
演算部９は第１演算部と第２演算部を含む。演算部９の第一演算部では前述通り記憶された測定開始から測定終了までのガスセンサ２１とガスセンサ２２の出力信号データから、それぞれ出力信号の最大値Vp1およびVp2を探し出す。次に、出力信号の最大値Vp1およびVp2をそのままの値、またはそれぞれのガスセンサの最小出力をベースとした相対値をそれぞれガスセンサ２１およびガスセンサ２２の出力V1およびV2とする。第２演算部では、ガスセンサ２１とガスセンサ２２の第一応答特性（図３または式３のα１、α２）および第２応答特性（図３または式３のβ１、β２）から導いたセンサ出力から硫化水素濃度へ変換する変換表が予め記憶されており、第１演算部で得られたセンサ出力から、記憶されているセンサ出力を硫化水素濃度への変換表を用いて、センサの出力信号に対応する硫化水素濃度を算出する。
以上本発明の第一実施例について説明した。本実施例ではガスセンサ２１とガスセンサ２２の第１応答特性どうしおよび第２応答特性どうしがともに異なっているが、両特性どうしのどちらか一方が異なるだけでもよい。例えば、第１応答特性どうしが異なり、第２応答特性どうしが同じである場合、式３が次のようになり、第１応答特性のみ用いて硫化水素の濃度を算出することができる。
[H2S]＝(V1−V2)/(α１−α２)      式４）
また、センサの設置場所に関しても、本実施例ではガスセンサ２１とガスセンサ２２は脱臭ファン用排気通路内に設置しているが、両センサに接する排泄ガスの濃度が実質的に同じであることが担保されれば、他の場所、例えばトイレ装置の便鉢部や便座周辺に設置してもよい。
【００１８】
次に、本発明の健康状態測定装置の第２実施例について説明する。図４は本発明の健康状態測定装置の第２実施例を示す概念図である。脱臭ファン用排気通路４内に、ガスの流れの上流側から順に脱臭ファン５、第１ガスセンサ２４、硫化水素除去部である脱臭カートリッジ２３、および第２ガスセンサ２５が配置されている。
【００１９】
演算部９が測定開始信号を同時に第１ガスセンサ２４と第２ガスセンサ２５に送信し両ガスセンサが作動し始めると、センサに接するガスのガス濃度に応じた出力信号が得られる。ガスセンサ２１とガスセンサ２２で得られたセンサ出力信号が演算部９に送られ、時系列的に記憶される。また、演算部９の測定終了信号によって両ガスセンサの作動が終了し、センサ出力の信号の記録が終了する。続いて、演算部９では後述の方法にしたがって記憶されたセンサの出力信号からガス濃度を求め、その結果を制御部８に送信し、そこで腸内状態指標を推算し、得られた腸内状態指標が表示部１０で表示される。
本実施例において、硫化水素除去部の上流側に配置されている第１ガスセンサ２４は硫化水素に対する第１応答特性および共存ガス（本実施例では水素）に対する第２応答特性を有する。また、硫化水素除去部の下流側に配置されている第２ガスセンサ２５は共存ガス（本実施例では水素）に対する第２応答特性を有する。図５はガス濃度とセンサの出力信号との関係から両センサの応答特性に示す概念図である。センサの出力信号はガス濃度と直線的な関係になるように加工されている。図示するように、第１ガスセンサ２４は傾きがα１となる硫化水素に対する第１応答特性、および傾きがβ１となる共存ガスの水素に対する第２応答特性を有する。一方、第２ガスセンサ２５は傾きがβ２となる共存ガスの水素に対する第２応答特性を有する。第一ガスセンサ２４と第２ガスセンサ２５の出力をそれぞれV1とV2とし、硫化水素濃度および水素濃度をそれぞれ[H2S] と[H2]とすると、出力とガス濃度との間に以下の関係が成り立つ。
V1＝α１[H2S]＋β１[H2]              式５
V2＝         β２[H2]              式６
硫化水素除去部によって硫化水素が除去されているので、式６に示すように、第２ガスセンサ２５の出力に硫化水素による寄与が含まれていない。式５と式６から、硫化水素濃度[H2S]が以下の式により求まる：
[H2S]＝(V1β２−V2β１)/α１β２      式７
硫化水素濃度を演算する演算部９は第１の実施例と同様に、第１演算部と第２演算部を含む。第１演算部では第１実施例と同様な動作で、第１ガスセンサ２４および第２ガスセンサ２５の出力V1およびV2を求める。第２演算部では、第１ガスセンサ２４第１応答特性（図５または式７のα１）および第１ガスセンサ２４と第２ガスセンサ２５の第２応答特性（図５または式７のβ１、β２）から導いたセンサ出力から硫化水素濃度へ変換する変換表が予め記憶されており、第１演算部で得られたセンサ出力V1およびV2から、記憶されているセンサ出力を硫化水素濃度への変換表を用いて、センサの出力信号に対応する硫化水素濃度を算出する。
以上本発明の第２実施例について説明した。続いて本発明の第３の実施例について説明する。
図６は本発明の健康状態測定装置の第３実施例を示す概念図である。本実施例の装置構成は図４に示す第２実施例と同様であるが、硫化水素除去部２３の上流側に配置されている第１ガスセンサ２６と硫化水素除去部２３の下流側に配置されている第２ガスセンサ２７が共存ガス（本実施例では水素）に対して同一の第２応答特性を有する点で異なる。図７はガス濃度とセンサの出力信号との関係から両センサの応答特性に示す概念図である。センサの出力信号はガス濃度と直線的な関係になるように加工されている。図示するように、第１ガスセンサ２６と第２ガスセンサ２７は共に傾きがβとなる共存ガスの水素に対する第２応答特性を有する。一方、第１ガスセンサ２６は傾きがα１となる硫化水素に対する第１応答特性を有する。第一ガスセンサ２６と第２ガスセンサ２７の出力をそれぞれV1とV2とし、硫化水素濃度および水素濃度をそれぞれ[H2S] と[H2]とすると、出力とガス濃度との間に以下の関係が成り立つ。
V1＝α１[H2S]＋β[H2]              式８
V2＝         β[H2]              式９
硫化水素除去部によって硫化水素が除去されているので、式９に示すように、第２ガスセンサ２７の出力に硫化水素による寄与が含まれていない。式８と式９から、硫化水素濃度[H2S]が以下の式により求まる：
[H2S]＝(V1−V2)/α１      式１０
すなわち、本実施例では、第一ガスセンサ２６の硫化水素に対する第１応答特性のみ用いて硫化水素の濃度を算出する。
硫化水素濃度を演算する演算部９は第１の実施例と同様に、第１演算部と第２演算部を含む。第一演算部では第１の実施例と同様な動作で、第１ガスセンサ２６および第２ガスセンサ２７の出力V1およびV2を求める。第２演算部では、第１ガスセンサ２６の第一応答特性（図７または式１０のα１）から導いたセンサ出力から硫化水素濃度へ変換する変換表が予め記憶されており、第１演算部で得られたセンサ出力V1およびV2から、記憶されているセンサ出力を硫化水素濃度への変換表を用いて、センサの出力信号に対応する硫化水素濃度を算出する。
以上、３つの実施例を用いて本発明の健康状態測定装置の構成および硫化水素濃度から腸内状態を測定する動作について説明した。
最後に、本発明の健康状態測定装置を使用した健康状態測定方法の手順を例示して説明する。
【００２０】
図８は、本発明の健康状態測定装置（洋式便器に付設された衛生洗浄便座装置に内蔵）を使用した健康状態測定方法の手順を示す一例である。使用者（以後、「ユーザ」と呼ぶ。）の動作を左側に、便座装置が行う処理（健康状態測定装置の処理を含む）を右側に別けて表示した。
【００２１】
本図の流れの通り、ユーザはトイレ内に入室し排便をして退室するのであるが、このトイレには本発明の健康状態測定装置が取り付けてあるため、退室する前には自分の腸内のｐＨ推定値を表示部１０に表示されることで、その日の体調を知り、あるいは継続的に測定していた場合は経時的な体調の変化を知ることができる。
【００２２】
まずユーザが入室すると人体検知センサによって入室が検知され、２つのガスセンサからなるガスセンサ７が同時に起動される。人体検知センサを使わない場合には、ユーザが健康状態測定装置の電源を手動で入れてもよい。
【００２３】
ユーザが着座すると着座センサが着座を検知し、脱臭ファン５の起動後にガスセンサ７が記録および記憶を開始する。着座センサを使わずにユーザが各センサの始動スイッチを押してもよい。ここで稼動開始時のセンサの時刻をｔ１とし、その時刻に対応する二酸化炭素２つのガスセンサの出力値をそれぞれＶ１１とＶ２１と呼ぶ。
【００２４】
ユーザが排便を開始し終了するまで、ガスセンサ７は一定時間ｔｘ、たとえば１秒おきに両ガスセンサの出力信号Ｖ１ｘ、Ｖ２ｘを検出し、それぞれ演算部９に書き込む。
【００２５】
排便終了後、ユーザが人体洗浄を開始する。このとき、洗浄ボタンと連動させてガスセンサ７の記録を終了させる。排便終了時の時間ｔ２とガスセンサ７のそのときの検知データＶＶ１２とＶ２２が記憶される。なお、排便前または排便中に洗浄ボタンが使われるケースもあることを考慮する場合は、洗浄ボタンと連動させずにユーザが手動で記憶終了させる形式としてもよい。
【００２６】
演算部９の第１演算部では、まずｔ１〜ｔ２の範囲でそれぞれのガスセンサの出力の最大値（Ｖ１ｍａｘまたはＶ２ｍａｘ）を検索する。そして最大値そのもの、またはセンサの最小出力をベースとした相対値をそれぞれのセンサの出力V1およびV2算出する。そして演算部９の第２演算部では予め演算部に記憶されている両ガスセンサ第１応答特性おとび第２応答特性から導かれたガスセンサの出力V1およびV2と硫化水素濃度との対応表から硫化水素濃度を算出する。
【００２７】
最後に、制御部８では、硫化水素濃度をそのまま腸内状態指標として、またはさらに別の腸内状態指標に変換してユーザに表示部１０等により報知する。
【００２８】
ユーザが離座すると、それを着座センサが感知し脱臭ファン５が停止する。そしてユーザが退室すると人体検知センサによって退室が検知され二酸化炭素ガスセンサ７の電源が切られる。
よって使用者が通常のトイレ行為で手軽に自分の腸内状態を知ることができる。
【図面の簡単な説明】
【００２９】
【図１】本発明の健康状態測定装置を搭載した衛生洗浄便座装置を付設した洋式便器の一例を示す（部分透視）外観図
【図２】本発明の健康状態測定装置の第１実施例を示す概念図
【図３】第１実施例におけるガスセンサの応答特性を示す概念図
【図４】本発明の健康状態測定装置の第２実施例を示す概念図
【図５】第２実施例におけるガスセンサの応答特性を示す概念図
【図６】本発明の健康状態測定装置の第３実施例を示す概念図
【図７】第３実施例におけるガスセンサの応答特性を示す概念図
【図８】本発明の健康状態測定装置（衛生洗浄便座装置に搭載）を使用した健康状態測定方法の手順を示す一例
【符号の説明】
【００３０】
１…便器、２…便座、３…便鉢、４…脱臭ファン用排気通路、５…脱臭ファン、７…ガスセンサ、８…制御部、９…演算部、１０…表示部、１１…操作パネル、２１…ガスセンサ１、２２…ガスセンサ２、２３…脱臭カートリッジ、２４…第１ガスセンサ、２５…第２ガスセンサ、２６…第１ガスセンサ、２７…第２ガスセンサ。
【図１】
2009250922.tif 000003
【図２】
2009250922.tif 000004
【図３】
2009250922.tif 000005
【図４】
2009250922.tif 000006
【図５】
2009250922.tif 000007
【図６】
2009250922.tif 000008
【図７】
2009250922.tif 000009
【図８】
2009250922.tif 000010